(57)【特許請求の範囲】
【請求項１】
搬送方向に記録媒体を搬送する搬送手段と、
前記搬送手段の搬送方向下流において刃を保持し、移動方向の先頭側が前記搬送方向の上流側に傾いた状態で前記搬送方向に交わる方向に移動することによって前記刃で記録媒体を切断する保持手段と、
前記刃の前記搬送方向上流側で記録媒体を押える押え部材と、
前記押え部材を、記録媒体を案内するガイドに対して記録媒体の厚みよりも離れた位置で記録媒体を押える第１の位置と、記録媒体を押えない第２の位置とに移動可能に支持する支持手段と、
前記押え部材を移動させるカムと、を有し、
前記カムをばねによって移動することにより、前記押え部材を前記第１の位置に移動させ、前記保持手段によって前記ばねによる移動方向とは反対の方向に前記カムを移動することによって前記押え部材を前記第２の位置に移動させ、
前記押え部材は少なくとも、前記刃による記録媒体の切断の開始前から切断中までの間は前記第１の位置にあることを特徴とする切断装置。
【請求項２】
前記支持手段が前記カムによって動くことによって、前記押え部材は前記第１の位置と前記第２の位置とに移動する請求項１に記載の切断装置。
【請求項３】
前記支持手段は支軸を中心に揺動するアーム状部材を有し、一方の端部において前記押え部材を支持し、他方の端部に前記カムと接触するカムフォロア部が形成されている請求項２に記載の切断装置。
【請求項４】
前記保持手段は待機位置に移動しながら前記ばねの付勢力に抗して前記カムを移動させて前記押え部材を前記第２の位置に移動させる請求項１に記載の切断装置。
【請求項５】
前記ガイドを有する請求項１乃至４のいずれか１項に記載の切断装置。
【請求項６】
前記押え部材が前記第１の位置に移動したとき前記支持手段の一部が前記ガイドに接触することによって、前記ガイドに対して記録媒体の厚みよりも離れた位置に保たれる請求項１乃至５のいずれか１項に記載の切断装置。
【請求項７】
前記押え部材の押え力は、記録媒体の反発力によって記録媒体から受ける力よりも強いことを特徴とした請求項１に記載の切断装置。
【請求項８】
前記押え部材は外周に記録媒体と接触するための複数の突起を有する拍車状回転体であることを特徴とした請求項１乃至７のいずれか１項に記載の切断装置。
【請求項９】
前記押え部材は従動ローラであることを特徴とした請求項１乃至８のいずれか１項に記載の切断装置。
【請求項１０】
前記押え部材は、樹脂または金属のガイド形状であることを特徴とした請求項１乃至８のいずれか１項に記載の切断装置。
【請求項１１】
前記カムは前記刃と一体的に移動する請求項１に記載の切断装置。
【請求項１２】
記録媒体に記録を行う記録手段と、請求項１乃至１１のいずれか１項に記載の切断装置を有し、前記記録手段による記録が行われた後に前記切断装置によって記録媒体を切断する記録装置。
【請求項１３】
前記記録手段は前記搬送手段と前記切断装置との間において記録媒体の上面に記録を行い、前記切断装置の前記搬送方向下流側に隣接して記録媒体を下方に案内する排出ガイドを有している請求項１２に記載の記録装置。
【請求項１４】
記録媒体に記録を行う記録手段と、請求項８または９に記載の切断装置を有し、前記記録手段による記録が行われた後に前記切断装置によって記録媒体を切断し、切断終了後に前記押え部材を前記第１の位置に保ったまま前記搬送手段によって記録媒体を前記搬送方向とは反対の方向に搬送する記録装置。
【発明の詳細な説明】
【技術分野】
【０００１】
本発明は、記録媒体を切断する切断装置及びその切断装置を備えた記録装置に関する。
【背景技術】
【０００２】
従来、ロール紙をセットして記録を行う記録装置では記録媒体の切断装置が備えられ、画像情報に基づいて画像が記録された後に、記録媒体の搬送方向の所望の位置で記録媒体をカットすることで、最終的な出力物として出力する。
【０００３】
切断装置は、記録された記録媒体を排出するための排出口付近に、排出口を横切るように移動するカッター手段を設けて、これを移動させることでカットする構成が知られている。この構成において記録媒体をカットする際には、搬送方向と直交する方向にカッター手段を移動させてカットするため、カット時に記録媒体がカッターからの力を受けてズレてしまう問題が生じる。そこで、カット時に記録媒体がズレないように、カットする直前に記録媒体を挟持する部材を設けた構成が提案されている。（例えば、特許文献１参照）
【先行技術文献】
【特許文献】
【０００４】
【特許文献１】特開２００５−１４０９５号公報
【発明の概要】
【発明が解決しようとする課題】
【０００５】
近年の記録装置においては、さらなる高速化を実現するために記録部領域を拡大し、さらなる本体小型化を実現するためにカット手段下流側の排出方向小型化が進められている。インクジェット記録装置において記録速度を高速化するためには、一行分の記録範囲を拡大する、すなわち記録ヘッドを搬送方向に拡大する方法が考えられる。その結果、プラテンの搬送方向領域が拡大して、記録媒体を搬送・挟持する搬送ローラからカッター手段までの距離が長くなる。搬送されているロール紙にはロール紙管に巻かれていた癖（巻き癖）が残っているため、搬送ローラからカッター手段までの距離が長くなると、その間で巻き癖によって上方に浮き上がりやすくなるといった課題が生じる。特に、記録ヘッドの拡大にともなって記録ヘッドを搭載するキャリッジが大きくなると、記録媒体を吸着支持するプラテンとカッター手段の間が長くなり、この間には浮きを押える手段がないために、いっそう浮き量が大きくなる。
【０００６】
また、記録が終了して排出された記録媒体の収納部を含めて装置全体の奥行きを短くするために、記録媒体は水平方向に排出させずに、できるだけ鉛直下方向に向けて排出される。そのため、カット前の記録媒体の姿勢は、カッター手段の搬送方向下流側が下方に垂れ下がり、上流側はカッター手段を支点に円弧状に大きく浮き上がる状態となってしまう。
【０００７】
固定刃に対して平刃または回転丸刃が移動しながらカットするカッターの場合、刃は進行方向に対して僅かに記録媒体搬送方向上流側（固定刃またはカッターガイドレール側）に傾けて取り付けられている。そのために、カット中に記録媒体は移動する刃によって搬送方向下流側に引っ張られる。したがって、カッター手段の上流側で記録媒体が浮き上がった状態でカットを開始するとカット中に記録媒体の浮きが解消されるので、カット中に記録媒体上の切断位置がずれて直線的にカットできない。これを対策するために特許文献１のように挟持することも考えられるが、記録媒体表面に少なからずとも傷を発生させてしまう。
【０００８】
本発明は、記録媒体上の切断位置のずれを抑制できる切断装置を提供することを目的とする。
【課題を解決するための手段】
【０００９】
上記課題を解決するための本発明の構成は、搬送方向に記録媒体を搬送する搬送手段と、前記搬送手段の搬送方向下流において刃を保持し、移動方向の先頭側が前記搬送方向の上流側に傾いた状態で前記搬送方向に交わる方向に移動することによって前記刃で記録媒体を切断する保持手段と、前記刃の前記搬送方向上流側で記録媒体を押える押え部材と、前記押え部材を、記録媒体を案内するガイドに対して記録媒体の厚みよりも離れた位置で記録媒体を押える第１の位置と、記録媒体を押えない第２の位置とに移動可能に支持する支持手段と、前記押え部材を移動させるカムと、を有し、前記カムをばねによって移動することにより、前記押え部材を前記第１の位置に移動させ、前記保持手段によって前記ばねによる移動方向とは反対の方向に前記カムを移動することによって前記押え部材を前記第２の位置に移動させ、前記押え部材は少なくとも、前記刃による記録媒体の切断の開始前から切断中までの間は前記第１の位置にあることを特徴とする切断装置である。
【発明の効果】
【００１０】
本発明によれば、記録媒体上の切断位置のずれを抑制できる切断装置を提供することができる。
【図面の簡単な説明】
【００１１】
【図１】第１、２の実施形態に関わるインクジェット記録装置の要部斜視図および拡大図である。
【図２】第１、２の実施形態に関わる切断装置に備える回転丸刃の姿勢を示した図である。
【図３】第１の実施形態に関わる押え部材に関し、押え部材が記録媒体から十分に離間している状態を示した図である。
【図４】第１の実施形態に関わる押え部材に関し、押え部材が記録媒体を押えている状態を示した図である。
【図５】第１の実施形態に関わる押え部材に関し、カッター手段の移動と押え部材の関係を示した図である。
【図６】第２の実施形態に関わる押え部材に関し、カッター手段の移動と押え部材の関係を示した図である。
【図７】第１の実施形態における押え部材に関し、押え部材高さとカット位置ズレ量の関係を示したグラフである。
【発明を実施するための形態】
【００１２】
（第１の実施形態）
図１の（ａ）は本発明の実施形態に関わるインクジェット記録装置の斜視図、（ｂ）は搬送ローラから切断装置までの拡大斜視図である。
【００１３】
３はロール媒体供給装置であり、内部には記録用紙などの記録媒体が芯管にロール状に巻かれた記録媒体ロールが収納されている。本実施形態のインクジェット記録装置においては、ロール媒体供給装置３の記録媒体ロールから給送された記録媒体Ｐ１は搬送ローラ１およびピンチローラ２によって搬送方向に搬送され、記録媒体搬送面であるプラテン４に搬送される。プラテン４まで搬送された記録媒体Ｐ１の上面に記録ヘッド５で記録を行う。
【００１４】
記録ヘッド５の対向位置にあるプラテン４には負圧発生手段（不図示）に連結された吸引孔６が備えられている。吸引孔６からプラテン４と記録媒体Ｐ１の間の空気が吸い込まれることによって記録媒体Ｐ１はプラテン４に吸着され、記録媒体Ｐ１はプラテン４から浮き上がることがない。
【００１５】
プラテン４の下流側には切断装置８まで記録媒体Ｐ１を案内するガイドである搬送面７が備えられている。記録媒体Ｐ１の記録がなされた部分はプラテン４の下流側の搬送面７によって案内され、カッター手段９を通過し、カッター手段９の下流側に隣接して配置された排出ガイド１０によって下方に案内される。記録を終えた記録媒体Ｐ１は、記録画像後端をカットするために所望の位置まで搬送されて、カッター手段９に備えられた一対の回転丸刃１３によってカットされる。カットされた記録媒体Ｐ１の画像が記録された部分は排出ガイド１０によって下方に案内されながら落下し、収納部１１に収納される。
【００１６】
次に、押え部材１２を備えた切断装置について、図２〜５を用いて説明する。カッター手段９は記録媒体をカットするための刃である回転丸刃１３と回転丸刃１３を保持する保持手段を備えている。回転丸刃１３は不図示のベルトによって記録媒体の搬送方向に対して直行する方向に移動する。カッター手段９を移動させる際の直進性を向上させるために、図２に示すように回転丸刃１３はカッターガイドレール１４に対してカット時の移動方向の先頭側が僅かに記録媒体搬送方向上流側（カッターガイドレール側）に傾いた状態で取り付けられている。そのため、カッター手段９は記録媒体Ｐ１をカットしながらカッターガイドレール１４に押し付けられる方向の力を記録媒体Ｐ１から受けながら安定して移動できる。一方記録媒体Ｐ１は記録媒体搬送方向下流側に引っ張られながら記録媒体の浮きがない状態でカットされる。
【００１７】
図３と４はカッター手段９によって押え部材１２が連動する構成を示した図であり、図３は記録動作中で押え部材１２が記録媒体に対して十分に離間している第２の位置にある状態を示している。図４はカット動作を開始して押え部材１２が記録媒体Ｐ１の浮きを押えている第１の位置にある状態を示している。また、それぞれの図の（ａ）は押え部材１２が動作する機構を示した図、（ｂ）は本体側面から見た押え部材１２の位置および記録媒体Ｐ１の姿勢を示した図である。
【００１８】
記録媒体Ｐ１の浮きを押える押え部材１２は支持手段であるホルダ部材１５に支軸１７を中心に揺動できるように取り付けられている。ホルダ部材１５が軸１７を中心に回転することによって、押え部材１２は記録媒体Ｐ１を押える第１の位置と離間して押えない第２の位置とに移動可能である。ホルダ部材１５はホルダばね１９によって図３（ｂ）において時計回りに回動する方向、すなわち押え部材１２が記録媒体を押える方向に付勢されている。押え部材１２は外周に記録媒体と接触するための複数の突起が形成された拍車状の回転体で、ホルダ部材１５の端部に回転可能に支持されている。
【００１９】
１６はカム面１８を有するカムとしてのスライダ部材である。スライダ部材１６は図５に示されるスライダガイド２５によってカッター手段９の移動方向と平行に移動可能に支持されている。ホルダ部材１５はアーム状部材であり、押え部材１２が取り付けられている一方の端部とは反対側の他方の端部１５ａは、スライダ部材１６に形成されたのカム面１８に接触するカムフォロア部である。スライダ部材１６がスライダガイド２５に沿って移動することにより、スライダ部材１６に形成されているカム面１８がホルダ部材１５を回動させる。図３ではスライダ部材がカッター手段の待機位置（図１の右側端部）側に位置しており、カム面１８はホルダばね１９の付勢力に抗してホルダ部材１５の端部１５ａを押し下げ、押え部材１２は記録媒体Ｐ１から離間した位置にある。
【００２０】
スライダ部材１６はスライダばね２０によって装置中央側に付勢されており、後述するようにカッター手段９の動作によってカッター手段９の移動方向と平行にスライドする。すなわち、図３に示す状態から、カッター手段９がカット方向に移動すると、スライダ部材１６はスライダばね２０によって所定量だけ平行移動する。ホルダ部材１５の端部１５ａはホルダばね１９の付勢力によって、移動するカム面１８を摺動しながら上昇し、図４に示すように押え部材１２は浮いた記録媒体Ｐ１を押える位置に移動する。
【００２１】
押え部材１２が記録媒体Ｐ１を押えた状態での押え部材１２の高さは、ホルダ部材１５に備えた高さ規制リブ２２が記録媒体搬送面７に突き当たることで定まる。このときリブは、記録媒体Ｐ１の幅方向端部よりも外側で記録媒体搬送面７と当接するように配置する。このとき記録媒体Ｐ１は記録媒体搬送面７と押え部材１２によって挟持されるのではなく、記録媒体搬送面７と押え部材１２の間隔は記録媒体Ｐ１の厚さよりも大きい。
【００２２】
記録媒体Ｐ１は巻き癖による反発力によって浮き上がろうとするが、ホルダばね１９による付勢力は、記録媒体Ｐ１の反発力によって記録媒体Ｐ１から受ける力によって押え部材１２が上昇しない程度の強さに設定する。
【００２３】
次に、カッター手段９の動作と押え部材１２の動作について図５を用いて説明する。
図５（ａ）はカッター手段９が待機位置で停止している状態、図５（ｂ）はカッター手段９が移動を開始して記録媒体Ｐ１をカットする前までの状態、図５（ｃ）は記録媒体Ｐ１をカットしている状態を示す。
【００２４】
図５（ａ）に示すように、カッター手段９が初期の待機位置で停止しているとき、スライダ部材１６に形成された突起１６Ａがカッター手段に２１に形成されたカッター手段リブ２１に係合して停止している。このときスライダ部材１６はスライダばね２０によってプリンタの中央方向に付勢されているが、突起１６ｂとカッター手段リブ２１の係合によって移動は阻止されている。このとき、前記のとおり押え部材１２は記録媒体Ｐ１から離間した位置に静止している。
【００２５】
次に図５（ｂ）に示すようにカッター手段９が移動を開始すると、スライダ部材１６はスライダばね２０によってスライドしたのちスライダストッパ部１６ａに当接して停止する。ホルダ部材１５の端部１５ａは移動するカム面１８を摺動し、ホルダ部材１５は回動し、押え部材１２は記録媒体Ｐ１の浮きを押える第１の位置に移動する。この押え部材１２の第１の位置への移動は、回転丸刃１３による記録媒体Ｐ１の切断の開始前に行われる。その後、図５（ｃ）に示すようにカッター手段９に備えた回転丸刃１３は、浮きが押えられた記録媒体Ｐ１のカットを開始する。上述したように回転丸刃１３の進行方向下流側が搬送方向上流側に傾いているので、回転丸刃１３による切断中は記録媒体Ｐ１は搬送方向に引っ張られて浮きが抑制される。したがって押え部材１２は少なくとも切断の開始前から切断中までの間に第１の位置にあればよい。
【００２６】
ここで、押え部材高さとカット位置のズレ量について説明する。図７は本実施形態１の構成を用いた実験によって得られたグラフであり、縦軸は押え部材高さ、横軸は切り始め部のカット位置ズレ量を示している。ズレ量の可否判断は、一般のユーザーが使用する上で問題がないとされる０．５ｍｍ未満を基準に考えると、グラフより、押え部材高さ（搬送面７と押え部材１２の距離）は普通紙等の薄い記録媒体では２．７ｍｍ未満で達成できることが確認できた。また、剛性が高く巻き癖の強い厚い記録媒体では１．３ｍｍ未満で達成できることが確認できた。一方、押え部材高さを低くするにつれて、押え部材１２は記録媒体Ｐ１を挟持する構成に近くなり、結果として記録媒体表面に少なからず傷を発生させてしまう。本実験においては、押え部材高さが０．８ｍｍ未満で目視できる傷を確認した。そのため、本構成の最適な押え高さは、薄い記録媒体のみを使用する場合では０．８ｍｍ以上２．７ｍｍ未満である。また、厚い記録媒体を使用する場合では０．８ｍｍ以上１．３ｍｍ未満に設計することで、挟持せずに傷を抑えつつ、切り始めから終わりまでの直線性を達成できることが確認できた。
【００２７】
次に、上記切断装置を備えたインクジェット記録装置全体の記録動作について説明する。
【００２８】
ロール媒体供給装置３から搬送されてきた記録媒体Ｐ１の進行方向には、搬送ローラ１およびピンチローラ２、プラテン４、切断装置８が順次配置されている。搬送ローラ１およびピンチローラ２は、搬送通路を通って搬送されてきた記録媒体Ｐ１を画像記録部へ搬送する。
【００２９】
画像記録部は、記録媒体Ｐ１を吸引支持するプラテン４と、このプラテン４と対向して配置されて紙幅方向である主走査方向に移動してプラテン４上の記録媒体Ｐ１にインクを吐出して記録を行う記録ヘッド５を備える。
【００３０】
記録ヘッド５には、記録媒体Ｐ１と対向する面に、インクを吐出する複数のノズル列（不図示）を備える。これらノズル列は記録媒体搬送方向である副走査方向に並んでおり、ノズル列ごとに異なる色のインクを吐出するようになっている。各色のノズル列には、それぞれ供給チューブ２３を介してインクタンク２４より対応する色のインクが供給されるようになっている。
【００３１】
記録ヘッド５を搭載したキャリッジ２７は、両端部がプリンタ本体２５のフレームに固定された、ガイドシャフト２６に摺動可能に支持されており、不図示のベルト駆動装置およびモータによってガイドシャフト２６に沿った往復移動が可能である。
【００３２】
画像記録動作は、例えば、記録ヘッド５による１走査分の印字が終了すると、一旦印字動作を中断し、プラテン４上の記録媒体Ｐ１を搬送ローラ１にて所定量だけ搬送する。その後、再びキャリッジ２７をガイドシャフト２６に沿って移動させながら次の１走査分の印字を行う、といった手順で印字が行われる。このようにして、キャリッジ２７を往復移動させながら、記録ヘッド５からインクを吐出することにより、記録媒体Ｐ１上に所望の画像が記録される。
【００３３】
インクジェット記録装置による通常の記録では、記録媒体の周囲に余白を設けて記録が行われるが、記録媒体に余白なく記録する場合もある。そこで次に、余白なし記録と余白あり記録のそれぞれおける、記録動作および切断装置に備えた押え部材の動作について説明する。
【００３４】
はじめに、余白なし記録動作について説明する。
記録媒体Ｐ１の幅方向の余白をなくすためには、記録媒体幅よりも広い範囲にインクを吐出し、記録媒体幅外側のプラテン４に設けられた凹部４ａが打ち捨てられたインクを受けて余白なし記録を行う。一方、記録媒体Ｐ１の搬送方向である先端および後端の余白をなくすためには、切断手段８で余白がなくなるように先端および後端をカットすることで余白なし記録を行う。
【００３５】
先端および後端の余白なし記録を行うための動作は、はじめに、搬送されてきた記録媒体Ｐ１に対して、記録画像データに基づいて記録ヘッド５からインクを吐出して記録を開始する。途中、記録画像の先端が切断装置８のカット位置を僅かに過ぎた位置で一度記録動作を中断し、カッター手段９で先端余白部分をカットする。この時、前記のとおりカッター手段９が移動を開始するとスライダ部材１６が平行移動することでホルダ部材１５が回転動作し、押え部材１２が記録媒体Ｐ１の浮きを押えてから、カッター手段９は記録媒体Ｐ１のカットを開始する。このとき、押え部材１２は記録された媒体表面を押えている。
【００３６】
記録媒体幅の終端まで移動してカットを終えたカッター手段９は再び初期の待機位置まで戻る。カッター手段９は待機位置に戻る途中でスライダ部材１６と当接し、スライダ部材１６はカッター手段９によって平行移動することでホルダ部材１５が軸１７を中心に回転動作し、押え部材１２は記録媒体Ｐ１から大きく離間する。
【００３７】
その後再び記録動作を開始し、記録画像データに基づいた記録を完成させた後、搬送ローラ１によって後端カット位置まで記録媒体Ｐ１を搬送し、後端余白部分をカットする。この時、先端余白カット時と同様に、カッター手段９の動作と連動して押え部材１２が記録媒体Ｐ１の浮きを押えてからカットを開始するが、記録画像はカット位置よりも搬送方向下流側にあるため、押え部材１２は記録されていない媒体表面を押えている。
【００３８】
記録媒体幅の終端まで移動した切断終了後にカッター手段９は再び初期の待機位置まで戻る。カッター手段９が待機位置に戻る前に記録装置は次の記録動作の準備をするために、搬送ローラ１をバックフィードさせて記録媒体Ｐ１を巻き戻す。拍車状回転体である押え部材１２は移動する記録前の記録媒体表面に接触して従動回転する。そのため、先端余白カット時において押え部材１２の各突起に極微量に付着したインクをクリーニングする効果が生じる。また、１回の記録動作を終えるたびに押え部材１２が回転動作するため、記録済み面が押え部材１２の同じ箇所に繰返し接触することによる付着堆積も回避できる。その後、カッター手段９がスライダ部材１６と接触すると、前記と同様に押え部材１２は記録媒体搬送面に対して大きく離間する。
【００３９】
次に、余白あり記録動作について説明する。
余白あり記録を行う場合は、記録媒体Ｐ１の先端に余白ができる状態まで搬送ローラ１で記録媒体Ｐ１を搬送してから記録ヘッド５で記録を行うため、記録動作中に記録媒体の先端をカットする必要がない。その後、記録画像データに基づいた記録を完成させた後、搬送ローラ１によって所望の後端カット位置まで記録媒体Ｐ１を搬送し、画像の後端に余白を残した位置でカットする。この時のカッター手段９と押え部材１２および記録媒体Ｐ１の動作は、前記余白なし記録の後端カット時と同様である。
【００４０】
したがって、余白あり記録においては、押え部材１２は記録された媒体表面に一度も接触せずに一連の記録動作を終了する。
【００４１】
（第２の実施形態）
次に本発明の実施形態に関わるインクジェット記録装置の第２の実施形態について説明する。
【００４２】
はじめに、押え部材１２を備えた切断装置に関わる構成について、図６を用いて説明する。
記録媒体Ｐ１の浮きを押える押え部材１２はホルダ部材１５に取付けられており、ホルダ部材１５は軸１７を中心に回転することで、押え部材１２は記録媒体Ｐ１を押える位置と離間する位置とに往復動作する。ホルダ部材１５はホルダばね１９によって付勢されており、その一端はホルダ部材１５に掛かり、他端はプリンタ本体の固定要素２５に掛かっている。したがって、カッター手段９が当接していない状態では、押え部材１２は記録媒体Ｐ１に対して大きく離間した位置に静止している（図６（ａ））。
【００４３】
カッター手段９が移動を開始すると、カッター手段９の一部はホルダ部材カム面１５ａに当接し、ホルダ部材１５は軸１７を中心に回転動作し、押え部材１２は浮いた記録媒体Ｐ１を押える。
【００４４】
押え部材１２が記録媒体Ｐ１を押えた状態での押え部材高さは、ホルダ部材１５に備えた高さ規制リブ２２が記録媒体搬送面７に突き当たることで定まる。このときリブは、記録媒体の幅方向端部よりも外側で記録媒体搬送面７と当接するように配置する。
【００４５】
次に、カッター手段９の動作と押え部材１２の動作について図６（ａ）〜（ｄ）を用いて説明する。
【００４６】
図６（ａ）はカッター手段９が初期の待機位置で停止している状態、図６（ｂ）はカッター手段９が移動を開始して記録媒体Ｐ１をカットする前までの状態、図６（ｃ）と図６（ｄ）は記録媒体Ｐ１をカットしている状態を示す。
【００４７】
はじめに図６（ａ）に示すように、カッター手段９が初期の待機位置で停止している間、ホルダ部材１５はホルダばね１９によって押え部材１２が記録媒体Ｐ１から離間した位置に静止している。
【００４８】
次に図（ｂ）に示すようにカッター手段９が移動を開始すると、カッター手段９の一部がホルダ部材カム面１５ａに当接し、ホルダ部材１５は軸１７を中心に回転することで押え部材１２は記録媒体Ｐ１の浮きを押える位置に移動する。
【００４９】
その後、図６（ｃ）に示すように、カッター手段９に備えた回転丸刃１３は浮きが押えられた記録媒体Ｐ１のカットを開始する。カッター手段９が所定量だけ移動すると、図６（ｄ）に示すように、カッター手段９はホルダ部材カム面１５ａから離れ、押え部材１２は記録媒体Ｐ１から離間した位置に戻る。
【００５０】
実施形態２の構成では、カッター手段が切り始める所定の間だけ、停止している記録媒体を一時的に押えるため、押え部材１２が記録媒体Ｐ１に接触する範囲を最小限に抑えることができ、記録媒体Ｐ１の傷や転写を低減できる。また、余白なし記録を行わない場合については、前記の先端余白カットがないため、記録済み領域に押え部材１２が接触することがなくなる。したがって、記録領域の傷や押え部材１２へのインク等付着堆積がないため、押え部材１２を記録媒体搬送面７の近傍まで近づけて浮きを押えることができ、カット位置ズレをより改善することができる。
【００５１】
第２の実施形態のインクジェット記録装置は、カッター手段９と押え部材１２を備えるホルダ部材１５の構成が第１の実施形態とは異なるが、その他の構成および全体の記録動作については実施形態１と同様である。
【００５２】
第２の実施形態ではホルダ部材にカム面が形成されていたが、カット手段にカム面を形成して刃とカムが一体的に移動するように構成し、ホルダ部材にカムフォロア部を形成して押え部材を移動させてもよい。
【００５３】
上述した実施形態では、押え部材が記録媒体の浮きを押えた状態でカッター手段がカットを開始できるため、カット開始から終了まで常に記録媒体が浮かない状態でカットできる。その結果、切り始めから終わりまでの間に記録媒体がずれて生じるカット位置ズレが抑えられ、カット性能が改善できる。また、カッター手段が動かない間（記録動作中など）は、押え部材は記録媒体搬送面に対して大きく離間しているため、記録動作および記録媒体には影響を与えることがない。また、押えている間は記録媒体を挟持していないため、記録媒体に傷が付きにくく記録品質の低下を抑制することができる。
【００５４】
押え部材に薄肉星型の拍車状の回転体を用いた場合では、余白なし記録時の拍車状回転体のクリーニング効果も得られる。一般に余白なし記録をする際には、記録媒体の先端側を一定領域だけ記録した後に記録を一度中断して画像の先端部分を含む記録媒体の先端の余白部分をカットすることで先端余白をなくす。その後残りの記録動作を再開してから終了した後、再び画像の後端部分を含む記録媒体の後端の余白部分をカットすることで後端の余白を無くす。そのため、押え部材は先端余白をカットしている間は記録媒体の記録済み領域を押えることになり、このとき、記録直後でインク等が転写しやすい場合などは拍車に極微量のインク等が付着する。余白なし記録を行う毎に押え部材である拍車の同じ箇所が繰返し記録済み領域に接触すると、極微量のインク等が付着堆積し、拍車に付着堆積したインク等がいずれ記録媒体に再転写してしまい記録品質を低下させてしまう。これを防ぐため、カッター手段が一方向に移動して記録媒体をカットした後に、再び初期の待機位置に戻るまでの間、押え部材である拍車を記録媒体に接触させている。カッター手段が初期の待機位置に戻るまでの間、次の記録動作を開始する準備のために搬送ローラで記録媒体を巻き戻せば、後端余白の白紙部分を押えている拍車は、記録媒体の巻き戻しとともに従動回転し、拍車のクリーニング効果が得られる。また、先端余白部分をカットするときに、記録済み面が拍車の同じ箇所に毎回接触することも回避できる。
【００５５】
また、カッター手段が切り始める所定の間だけ、停止している記録媒体を一時的に押えるため、押え部材が記録媒体に接触する範囲を最小限に抑えることができ、記録媒体の傷や転写を低減できる。特に、余白なし記録を行わない記録装置においては、前記の先端余白カットがないため、記録済み領域に押え部材が接触することがなくなる。記録領域の傷や押え部材へのインク等付着堆積がないため、押え部材を記録媒体搬送面の極めて近傍まで下げて浮きをしっかりと押えることができ、カット位置ズレをより改善することができる。
【００５６】
上記実施形態ではカッター手段は回転丸刃を有するものを用いたが、ナイフ状の刃を用いても良い。
【００５７】
上記実施形態では押え部材は拍車状のローラを用いていたが、記録媒体に従動する従動ローラでも良い。あるいは、押え部材はシートを案内するガイド形状を有する樹脂または金属の部材でも良い。
【符号の説明】
【００５８】
１  搬送ローラ
２  ピンチローラ
３  ロール媒体供給装置
４  プラテン
５  記録ヘッド
７  プラテン下流側の記録媒体搬送面
８  切断装置
９  カッター手段
１０  排出ガイド
１２  押え部材
１３  回転丸刃
１４  カッターガイドレール
１５  ホルダ部材
１５ａ  ホルダ部材カム面
１６  スライダ部材
１７  軸
１８  カム面
１９  ホルダばね
２０  スライダばね
２１  カッター手段リブ
２２  高さ規制リブ
２５  プリンタ本体
【図１】
0005578867.tif 000002
【図２】
0005578867.tif 000003
【図３】
0005578867.tif 000004
【図４】
0005578867.tif 000005
【図５】
0005578867.tif 000006
【図６】
0005578867.tif 000007
【図７】
0005578867.tif 000008